(57)【要約】  本開示の一実施形態に係る照明装置は、発光装置と、調光器と、スピーカーと、調音器と、制御部と、を有している。前記発光装置は、発光素子を有する。前記調光器は、前記発光装置を調光する。前記調音器は、前記スピーカーを調音する。前記制御部は、前記調光器と前記調音器との連動を制御する。
2020022492.tif 000002
【特許請求の範囲】
【請求項１】
発光素子を有する発光装置と、
前記発光装置を調光する調光器と、
スピーカーと、
前記スピーカーを調音する調音器と、
前記調光器と前記調音器との連動を制御する制御部とを備えていることを特徴とする照明装置。
【請求項２】
前記制御部は、前記調光器が調光した前記発光装置の光と連動して、前記調音器に前記スピーカーを調音させることを特徴とする請求項１に記載の照明装置。
【請求項３】
前記制御部は、外部、前記調光器及び前記発光装置の少なくとも一方から第１光情報を受信するとともに、前記第１光情報に基づき、前記調音器に前記スピーカーを調音させることを特徴とする請求項１または２に記載の照明装置。
【請求項４】
前記制御部は、前記第１光情報に基づき、前記スピーカーの音量及び音楽の種類の少なくとも１つの制御を指示する第１音制御情報を作成し、前記第１音制御情報に基づき、前記調音器に前記スピーカーを調音させることを特徴とする請求項３に記載の照明装置。
【請求項５】
前記第１光情報は、点消灯状態、光の照度、色温度、及びスペクトル情報の少なくともいずれか１つを含む請求項３または４に記載の照明装置。
【請求項６】
前記制御部は、前記調音器が調音した前記スピーカーの音と連動して、前記調光器に前記発光装置を調光させることを特徴とする請求項１〜５のいずれか１つに記載の照明装置。
【請求項７】
前記制御部は、外部、前記調音器及び前記スピーカーの少なくとも一方から第１音情報を受信するとともに、前記第１音情報に基づき、前記調光器に前記発光装置を調光させることを特徴とする請求項１〜６のいずれか１つに記載の照明装置。
【請求項８】
前記制御部は、前記第１音情報に基づき、前記発光装置の点消灯状態、光の照度、色温度、及びスペクトル情報の少なくとも１つの制御を指示する第１光制御情報を作成し、前記第１光制御情報に基づき、前記調光器に前記発光装置を調光させることを特徴とする請求項７に記載の照明装置。
【請求項９】
前記第１音情報は、音量及び音楽の種類の少なくとも１つを含む請求項７または８に記載の照明装置。
【請求項１０】
調光情報を外部から受信する第１受信部と、前記第１受信部で受信した前記調光情報を前記調光器に送信する第１送信部と、を有する送受信部を更に備えており、
前記調光器は、前記第１送信部から受信した前記調光情報に基づいて前記発光装置を調光するとともに、前記調光情報を前記制御部に送信し、
前記制御部は、前記調光情報に基づいて、前記調音器に前記スピーカーを調音させることを特徴とする請求項１〜９のいずれか１つに記載の照明装置。
【請求項１１】
前記送受信部は、調音情報を外部から受信する第２受信部と、前記第２受信部で受信した前記調音情報を前記調音器に送信する第２送信部と、を更に有しており、
前記調音器は、前記第２送信部から受信した前記調音情報に基づいて前記スピーカーを調音するとともに、前記調音情報を前記制御部に送信し、
前記制御部は、前記調音情報に基づいて、前記調光器に前記発光装置を調光させることを特徴とする請求項１０に記載の照明装置。
【請求項１２】
前記発光素子は、紫色領域にピーク波長を有する光を放射することを特徴とする請求項１〜１１のいずれか１つに記載の照明装置。
【請求項１３】
外部から第２光情報および第２音情報を受信する第３受信部と、
外部に第３光情報および第３音情報を送信する第３送信部と、をさらに備えたことを特徴とする請求項１〜１２のいずれか１つに記載の照明装置。
【請求項１４】
請求項１〜１３のいずれか１つに記載の照明装置を複数備えたことを特徴とする照明システム。
【請求項１５】
前記複数の照明装置は、第１の照明装置と第２の照明装置とを有しており、
前記第１の照明装置は、前記第２の照明装置から、前記第２の照明装置の第４光情報及び第４音情報の少なくとも一方を受信し、
前記第１の照明装置の前記制御部は、前記第２の照明装置の前記第４光情報及び前記第４音情報の少なくとも一方に基づいて、前記第１の照明装置の前記調光器と前記調音器との連動を制御することを特徴とする請求項１４に記載の照明システム。
【請求項１６】
前記複数の照明装置は、第３の照明装置を更に有しており、
前記第１の照明装置は、前記第３の照明装置に前記第２の照明装置の前記第４光情報および前記第４音情報の少なくとも一方を送信することを特徴とする請求項１５に記載の照明システム。
【請求項１７】
前記第１の照明装置は、前記第３の照明装置に、前記第１の照明装置の前記調光器の調光状態および前記第１の照明装置の前記調音器の調音状態の少なくとも一方を送信することを特徴とする請求項１６に記載の照明システム。
【発明の詳細な説明】
【技術分野】
【０００１】
本開示は、ＬＥＤ等を使用した照明装置および照明システムに関する。
【背景技術】
【０００２】
近年、蛍光灯や電球に代わってＬＥＤ（Light Emitting Diode）やＬＤ（Laser Diode）などの半導体発光素子を光源とする照明装置が用いられている。また、例えば、家電製品や乗用自動車などの塗装面の外観検査用光源としても発光素子を光源とする照明装置が用いられている。この照明装置を演出に使用するために、調光する調光器を備えた照明装置が知られている。【０００３】
しかしながら、上述した照明装置は、光のみを調整するもので、他の部品との連動によって光を制御することは困難な場合があった。
【発明の概要】
【０００４】
本開示の一実施形態に係る照明装置は、発光素子を有する発光装置と、前記発光装置を調光する調光器と、スピーカーと、前記スピーカーを調音する調音器と、前記調光器と前記調音器との連動を制御する制御部とを備えていることを特徴とする。
【０００５】
本開示の一実施形態に係る照明システムは、上述の照明装置を複数備えている。
【図面の簡単な説明】
【０００６】
【図１】本開示の一実施形態に係る照明装置の平面図である。
【図２】本開示の一実施形態に係る照明装置の一部を示した斜視図である。
【図３】本開示の一実施形態に係る照明装置の一部を示した斜視図である。
【図４】本開示の一実施形態に係る照明装置の一部を示した斜視図である。
【図５】本開示の一実施形態に係る照明装置の一部を示した斜視図である。
【図６】本開示の一実施形態に係る照明装置のうち発光装置を示した斜視図である。
【図７】本開示の一実施形態に係る照明装置のうち発光装置を示した断面図である。
【図８】本開示の一実施形態に係る照明装置の構成および接続を示した模式図である。
【図９】本開示の一実施形態に係る照明装置の構成および接続を示した模式図である。
【図１０】本開示の一実施形態に係る照明装置の構成および接続を示した模式図である。
【図１１】本開示の一実施形態に係る照明装置のシステムを示した図である。
【発明を実施するための形態】
【０００７】
以下に本開示の一実施形態に係る照明装置および照明システムを、図面を参照しながら説明する。なお、以下に説明する実施の形態は、いずれも本開示の実施形態の一例を示すものである。したがって、以下の実施の形態で示される、数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。
【０００８】
はじめに、本開示の一実施形態に係る照明装置に用いられる発光装置について説明する。
【０００９】
＜発光装置の構成＞
図６および図７は発光装置１を示している。図７に示されるように、発光装置１は、基板２と、発光素子３と、枠体４と、封止部材５と、波長変換部材６とを備えている。
【００１０】
基板２は、絶縁性の基板であって、例えば、アルミナまたはムライト等のセラミック材料、あるいはガラスセラミック材料等からなる。または、これらの材料のうち複数の材料を混合した複合系材料から成る。また、基板２は、基板２の熱膨張を調整することが可能な金属酸化物微粒子を分散させた高分子樹脂を用いることができる。
【００１１】
少なくとも基板２の主面または基板２の内部には、基板２の内外を電気的に導通する配線導体が設けられている。配線導体は、例えば、タングステン、モリブデン、マンガンまたは銅等の導電材料からなる。基板２がセラミック材料から成る場合は、例えば、タングステン等の粉末に有機溶剤を添加して得た金属ペーストを、基板２となるセラミックグリーンシートに所定パターンで印刷し、複数のセラミックグリーンシートを積層して、焼成することにより得られる。なお、配線導体の表面には、酸化防止のために、例えば、ニッケルまたは金等のめっき層が形成されている。また、基板２の上面には、基板２上方に効率良く光を反射させるために、配線導体およびめっき層と間隔を空けて、例えば、アルミニウム、銀、金、銅またはプラチナ等の金属反射層を形成してもよい。
【００１２】
発光素子３は、基板２の上に設けられる。具体的には、例えば基板２の主面上に実装される。発光素子３は、基板２の主面上に形成される配線導体の表面に被着するめっき層上に、例えば、ろう材または半田を介して電気的に接続される。発光素子３は、透光性基体と、透光性基体上に形成される光半導体層とを有している。透光性基体は、有機金属気相成長法または分子線エピタキシャル成長法等の化学気相成長法を用いて、光半導体層を成長させることが可能なものであればよい。透光性基体に用いられる材料としては、例えば、サファイア、窒化ガリウム、窒化アルミニウム、酸化亜鉛、セレン化亜鉛、シリコンカーバイド、シリコンまたは二ホウ化ジルコニウム等を用いることができる。なお、透光性基体の厚みは、例えば５０μｍ以上１０００μｍ以下である。
【００１３】
光半導体層は、透光性基体上に形成される第１半導体層と、第１半導体層上に形成される発光層と、発光層上に形成される第２半導体層と、から構成されている。第１半導体層、発光層および第２半導体層は、例えば、ＩＩＩ族窒化物半導体、ガリウム燐またはガリウムヒ素等のＩＩＩ−Ｖ族半導体、あるいは、窒化ガリウム、窒化アルミニウムまたは窒化インジウム等のＩＩＩ族窒化物半導体等を用いることができる。なお、第１半導体層の厚みは、例えば１μｍ以上５μｍ以下であって、発光層の厚みは、例えば２５ｎｍ以上１５０ｎｍ以下であって、第２半導体層の厚みは、例えば５０ｎｍ以上６００ｎｍ以下である。また、このように構成された発光素子３は、例えば３７０ｎｍ以上４２０ｎｍ以下である紫色領域の波長範囲の励起光を発することができる。つまり、発光素子３は、紫色領域にピーク波長を有していてもよい。
【００１４】
なお、発光素子３は、例えば、ＬＥＤであって、半導体を用いたｐｎ接合中の電子と正孔が再結合することによって、外部に向かって光を放出できる。
【００１５】
枠体４は、発光素子３と間隔を空けて、発光素子３を取り囲むように基板２の主面上に設けられており、基板２の主面に、例えば樹脂、ろう材または半田等を介して接続されている。また、枠体４は、傾斜する内壁面が、基板２の主面から遠ざかるに従い、外方に向かって広がるように形成されている。そして、枠体４の内壁面が、発光素子３から発せられる励起光の反射面として機能する。なお、平面視して、枠体４の内壁面の形状を円形とすると、発光素子３が放射する光を一様に反射面にて外方に向かって反射させることができる。
【００１６】
枠体４は、例えば、酸化アルミニウム、酸化チタン、酸化ジルコニウムまたは酸化イットリウム等のセラミック材料、あるいは多孔質材料、あるいは酸化アルミニウム、酸化チタン、酸化ジルコニウムまたは酸化イットリウム等の金属酸化物からなる粉末を混合させた樹脂材料から成る。
【００１７】
また、枠体４の傾斜する内壁面は、例えば、焼結材料からなる枠体４の内周面にタングステン、モリブデン、マンガン等から成る金属層と、金属層を被覆するニッケルまたは金等から成るめっき層を形成してもよい。このめっき層は、発光素子３が放射する光を反射させる機能を有する。なお、枠体４の内壁面の傾斜角度は、基板２の主面に対して例えば５５度以上７０度以下の角度に設定されている。
【００１８】
基板２および枠体４で囲まれる内側の空間には、枠体４で囲まれる空間の上部の一部を残して、光透過性の封止部材５が充填されている。封止部材５は、発光素子３を封止するとともに、発光素子３から放射される光を外部に取り出す。発光素子３の外部に取り出された光は、封止部材５を透過する。封止部材５は、例えば、シリコーン樹脂、アクリル樹脂またはエポキシ樹脂等の透光性の絶縁樹脂や透光性のガラス材料が用いられる。封止部材５の屈折率は、例えば１．４以上１．６以下に設定されている。
【００１９】
波長変換部材６は、基板２および枠体４で囲まれた内側の空間の上部に、封止部材５の上面に沿って設けられている。波長変換部材６は、枠体４内に収まるように形成されている。波長変換部材６は、発光素子３が放射する光の波長を変換する機能を有している。発光素子３から発せられる光は、封止部材５を介して波長変換部材６に入射する。波長変換部材６に含有される蛍光体は、発光素子３から発せられる光によって励起される。蛍光体が励起されると、蛍光体から蛍光が発せられるとともに、波長変換部材６は発光素子３からの光の一部を透過させて放射する。これにより波長変換部材６は、発光素子３が放射する光の波長を変換できる。波長変換部材６は、例えば、フッ素樹脂、シリコーン樹脂、アクリル樹脂またはエポキシ樹脂等の透光性の絶縁樹脂、または透光性のガラス材料からなり、その絶縁樹脂、ガラス材料中に、蛍光体が含有されている。蛍光体は、波長変換部材６中に均一に分散するようにしている。
【００２０】
波長変換部材６に含有される蛍光体及び発光素子３は、発光装置１から発せられる光の発光スペクトルが、可視光域の光を示すような発光スペクトルとなるように選ばれる。
【００２１】
発光装置１は、波長変換部材６に含有される蛍光体を調整することで、太陽光のスペクトルに近似する、演色性の高い光を放射することができる。即ち、太陽光のスペクトルにおける相対光強度と、発光装置１の発光スペクトルにおける相対光強度との差を小さくすることができ、太陽光に近似した発光装置１を作製することもできる。なお、蛍光体の組合せや、異なる波長領域の光を発光する複数の発光装置１を組み合わせることで、後述する照明装置１０においては、太陽光に近似した光以外にも様々な光を発光することができる。たとえば、ＲＧＢの３種類はそれぞれ異なる発光装置１から発光させることも可能である。このＲＧＢとは、いわゆる光の三原色のことであり、Ｒ（赤）、Ｇ（緑）、Ｂ（青）が合わさることで白色光になる。
【００２２】
＜照明装置の構成＞
本開示の実施形態に係る照明装置１０では、電源１１と、上述した発光装置１と、調光器１２と、スピーカー１３と、調音器１４と、制御部１５を備えている。なお、図２は、照明装置１０が円錐形状の筐体を有している場合を示している。図３〜図５は、スピーカー１３と発光装置１が一体の場合を示している。本実施形態では、スピーカー１３と発光装置１とが一体となっているため、１つの電源１１からスピーカー１３及び発光装置１の両方に電力を供給することができるため、照明装置１０で消費される電力を抑えることができる。
【００２３】
電源１１は、外部から供給された電力を受け取り、受け取った電力を照明装置１０に含まれる各機能に供給する。また、電源１１は、調光器１２や調音器１４等のオンオフを制御する電気信号を送出でき、その電気信号を他の部品に伝達できる。また、上述した発光装置１は、電源１１と電気的に接続している。また、後述するスピーカー１３も、電源１１と電気的に接続している。
【００２４】
調光器１２は、上述した発光装置１を調光する。言い換えれば、発光装置１が放射する光を調整する。調光器１２で調整されるのは、例えば、光量および光の色である。また、調光器１２は、発光装置１の光の照度、色温度、及びスペクトル情報の少なくとも１つを調整してもよい。このとき、調光器１２は、発光装置１の調光制御を行うための装置であり、例えば、発光装置１の明るさ（光出力）を調整することが可能である。本実施の形態において、調光器１２は、外部からの調光情報、つまり調光に用いる情報を、無線等を用いて後述の受信部（第１受信部２１）で受信する。そして、調光器１２は、受信した調光情報に応じた光制御信号を作成し、この光制御信号に基づいて発光装置１に供給する電力を調整する。これにより、調光器１２は、発光装置１の光出力を調整する。つまり、調光器１２は、受信した調光情報を調光の指示を出す信号（光制御信号）に変換し、該信号に基づき発光装置１を調光する。
【００２５】
より具体的には、調光器１２は、例えば、位相制御方式によって発光装置１の調光制御を行うことができる。この場合、調光器１２は、受信部で受信した調光情報に応じて、発光装置１の出力レベルの変更ができるように制御してもよい。これにより、調光情報の調光レベルに応じた明るさで発光装置１を発光させることができる。
【００２６】
なお、調光器１２から発光装置１への光制御信号は、発光装置１の発光状態を制御するための無線信号であり、例えば、点消灯を行うオンオフ信号、又は、調光を行うための調光信号等である。ここで、調光信号としては、光の照度、色温度、及びスペクトル情報の少なくとも１つの制御を指示する信号であってもよい。
【００２７】
スピーカー１３は、電源１１と電気的に接続している。このとき、電源１１との接続は、無線であっても、有線であってもよい。スピーカー１３は、後述する調音器１４からの情報に基づき、外部に音を発する。また、スピーカー１３は、調光器１２で調光された発光装置１の光と連動して音を発してもよい。
【００２８】
調音器１４は、スピーカー１３を調音する。言い換えれば、スピーカー１３にて発する音を決定して、その決定した音に関する情報をスピーカー１３に送信する。調音器１４で調整される音は、例えば、音楽の種類および音量等である。このとき、調音器１４は、スピーカー１３の調音制御を行うための装置であり、例えば、スピーカー１３からの音の大きさ（音出力）を調整可能である。本実施の形態において、調音器１４は、外部からの調音情報、つまり調音に用いる情報を、無線等を用いて後述の受信部（第２受信部２２）で受信する。そして、調音器１４は、受信した調音情報に応じた音制御信号を作成し、この音制御信号に基づいてスピーカー１３に供給する電力を調整する。これにより、調音器１４は、スピーカー１３の音出力を調整する。つまり、調音器１４は、受信した調音情報を調音の指示を出す信号（音制御信号）に変換し、該信号に基づきスピーカー１３を調音する。
【００２９】
調音器１４は、受信部で受信した調音情報に応じて、調音レベル等の変更ができるように制御してもよい。これにより、調音情報の調音レベルに応じた大きさでスピーカー１３から音を発することができる。
【００３０】
なお、調音器１４からスピーカー１３への音制御信号は、スピーカー１３の発音状態を制御するための無線信号であり、例えば、消音等を行うオンオフ信号、又は、調音を行うための調音信号等である。ここで、調音信号としては、例えば、音量及び音楽の種類の少なくとも１つの制御を指示する信号であってもよい。
【００３１】
制御部１５は、調光器１２と、調音器１４と接続しており、調光器１２と調音器１４との連動を制御する。例えば、調光器１２における光量および色等の調整は、スピーカー１３の音と連動するのがよい。また、調音器１４における音量および音楽の種類等の調整は、発光装置１の光と連動するのがよい。例えば、スポットライトのように舞台等の演出に用いる場合には、音楽の曲調に合わせて、光の色が切り替わるように制御したりしてもよい。光の色の制御としては、白色だけでなく、単色を混ぜる制御をしたりするのがよい。また、照明装置１を外灯等に用いる場合には、制御部１５は、光の色は白色光等であって、時間帯に合わせて光量を調整してもよい。さらには、制御部１５は、時間帯によるまわりの騒音に合わせて、スピーカー１３の音量を調整してもよい。これらの調整情報（調光情報、調音情報）は、外部と無線等で送受信されてもよい。また、制御部１５は、音と光を一致させて（同時に）調整せずに、音と光を単独で動かすタイミングの調整をおこなってもよい。このとき、制御部１５は、調光器１２に、調光情報及び時間情報を送信すればよく、調音器１４に、調音情報及び時間情報を送信すればよい。
【００３２】
なお、照明装置１０は、調光器１２への発光状態を制御するため、あるいは、調音器１４への音状態を制御するために人感センサ又は照度センサを有していてもよい。人感センサ又は照度センサは、目的や用途に応じて、照明装置１０外に配置することができる。
【００３３】
本開示の実施形態に係る照明装置１０は、上述したような構成であることによって、音と光を連動させることができる。すなわち、スピーカー１３から発生される音に連動して発光装置１から光を放射したり、発光装置１から発生される光に連動してスピーカー１３から音を発生したりすることができる。このとき、音や光などに関する様々な情報を制御部１５で制御することによって、照明装置１０は、状況に合わせた好適な演出を行なうことができる。
【００３４】
また、受信部および送信部としての第１受信部２１、第２受信部２２、第１送信部３１および第２送信部３２は、無線通信可能である。これらの送受信部としては、例えば、ブルートゥース（登録商標）通信、ＺｉｇＢｅｅ（登録商標）通信、無線ＬＡＮ通信方式、又は、赤外線通信等の近距離無線通信方式を用いて無線データ通信を行うための無線モジュールである。各受信部および送信部は、無線信号を受信するためのアンテナを有していてもよい。アンテナは、例えばモジュール基板に形成されたパターンアンテナであるが、これに限らない。また、有線でつながっていてもよい。
【００３５】
各受信部は、例えば、図示しないユーザにより操作可能な端末装置から送信された光制御信号および音制御信号を受信可能である。本実施の形態において、第１受信部２１は、受信した光制御信号を調光器１２に出力する。光制御信号は、発光装置１の点消灯を行うオンオフ信号、又は、発光装置１の調光を行うための調光信号等である。調光信号には、例えば調光レベルに関する情報が含まれる。
【００３６】
また、第２受信部２２は、受信した音制御信号を調音器１４に出力する。音制御信号は、スピーカー１３のオンオフを行うオンオフ信号、又は、スピーカー１３の調音を行うための調音信号等である。調音信号には、例えば調音レベルおよび音の種類に関する情報が含まれる。
【００３７】
なお、第３受信部２３、第３送信部３３は、第１受信部２１および第１送信部３１と同様のモジュールであってもよい。
【００３８】
複数の照明装置１０の制御を行なう場合、各照明装置１０は、外部の照明装置１０あるいは外部の端末から調光状態の情報である光情報（第２光情報）および調音状態である音情報（第２音情報）を受信する第３受信部２３と、その照明装置１０自体の光情報（第３光情報）および音情報（第３音情報）を送信する第３送信部３３とをさらに備えていてもよい。これにより、照明装置１０が保有する光情報や音情報等を隣接する他の照明装置に送信することが可能となる。また逆に、隣接する他の照明装置から送信された光情報や音情報等を受信することが可能となる。これにより、照明装置１０は、他の照明装置１０等の外部からの第２光情報または第２音情報に基づいて、照明装置１０の発光装置１を調光したり、スピーカー１３を調音したりすることができる。より具体的には、照明装置１０は、第２光情報に基づいて、発光装置１の光の色およびその強度等を制御するよう調光器１２に指示したり、第２音情報に基づいて、スピーカー１３の発せられる音楽、アナウンスの種類およびその大きさ等を制御するよう調音器１４に指示したりするのがよい。その結果、ある空間に複数の照明装置１０が有る場合に、同じ色、同じ音楽になるように調整したり、異なる色で発光させて、全体としての色のバランスを調整したり、居る場所によって、音量、光量、音の種類、色を異ならせる等の調整を行なうことができる。この複数の照明装置１０の音情報や光情報に基づく音や光の調整は、例えば、各照明装置１０の制御部１５で行なうのがよい。
【００３９】
また、上記実施の形態において、発光装置１の発光素子３は、ＬＥＤを主として説明したが、これに限らない。例えば、発光装置１の発光素子３は、半導体レーザ又は有機ＥＬ（Ｅｌｅｃｔｒｏ  Ｌｕｍｉｎｅｓｃｅｎｃｅ）等のその他の固体発光素子であってもよいし、蛍光灯等の既存ランプ光源であってもよい。また、上記実施の形態において、発光装置１の点消灯（ＯＮ／ＯＦＦ）は、無線信号によって行なってもよく、有線であってもよい。
【００４０】
また、上記実施の形態において、発光装置１は、ＬＥＤ等を光源としてＳＭＤ型の発光素子３を用いたＳＭＤ構造であっってもよく、これに限らない。例えば、発光装置１は、ＣＯＢ（Ｃｈｉｐ  Ｏｎ  Ｂｏａｒｄ）構造であってもよい。この場合、発光装置１は、実装基板に直接実装された１つ又は複数のＬＥＤチップ（ベアチップ）と、ＬＥＤチップを封止する蛍光体含有樹脂等の封止部材とによって構成されてもよい。
【００４１】
照明装置１０は、一方に開口している長尺あるいは円錐形状の筐体３０をさらに備えていてもよい。このとき、筐体３０内に発光装置１が収容されている。筐体３０が長尺の場合には、長手方向に沿ってライン状に複数個配列された発光装置１と、複数の発光装置１が実装される長尺の配線基板と、筐体３０によって支持され、筐体３０の開口を閉塞する長尺の透光性基板５０とをさらに備えていてもよい。また、筐体３０が円錐形状の場合には、発光装置１は、円錐の内部を埋めるように中心から同心円状に配列、または隙間を埋めるように無秩序に配列されていてもよい。このとき、隣り合う発光装置１の発光する光の色が、白色光でない場合には、異なる色であるのがよい。異なる色が隣り合っていることによって、照明装置１０から単色の光が発光される場合にも、均一に広がりをもつようにすることができる。
【００４２】
筐体３０は、透光性基板５０を保持する機能と、発光装置１の発する熱を外部に放散させる機能とを有している。筐体３０は、例えば、アルミニウム、銅またはステンレス等の金属、プラスチックまたは樹脂等から構成される。照明装置１０を外灯として外部に設置する場合もあるため、筐体３０は、防水・防塵効果の高い材料を用いるのがよい。
【００４３】
配線基板は、筐体３０内の底面に固定される。配線基板は、例えば、リジッド基板、フレキシブル基板またはリジッドフレキシブル基板等のプリント基板が用いられる。配線基板の配線パターンと発光装置１における基板２の配線パターンとが、半田または導電性接着剤を介して電気的に接続される。そして、配線基板からの信号が基板２を介して発光素子３に伝わり、発光素子３が発光する。なお、配線基板には、外部に設けられた電源から配線を介して電力が供給される。
【００４４】
透光性基板５０は、発光装置１から発せられる光が透過する材料からなり、例えば、アクリル樹脂またはガラス等の光透過性材料から構成される。透光性基板５０は、矩形状の板体であって、長手方向の長さが、例えば、９８ｍｍ以上１９９８ｍｍ以下に設定されている。また、筐体３０が円錐形状の場合には、直径９８ｍｍ以上１９９８ｍｍ以下であってもよい。透光性基板５０は、本体部における長手方向一方側または他方側の開口から、上述の各支持部に形成されている凹所内に挿し込み、長手方向に沿ってスライドさせることにより、複数の発光装置１から離間した位置で、一対の支持部によって支持される。そして、本体部における長手方向一方側および他方側の開口を蓋部で閉塞することにより、照明装置１０は構成される。
【００４５】
なお、上記の照明装置１０は、複数の発光装置１を直線状、あるいは円形状に配列した照明装置であるが、これに限らず円錐形状の際に説明したような複数の発光装置１をマトリクス状や千鳥格子状に配列した面発光の照明装置であってもよい。
【００４６】
また、筐体３０は、発光装置１のみを収容するのではなく、電源１１、調光器１２、スピーカー１３、調音器１４および制御部１５を収容するものであってもよい。他の発光装置１と連動して動く部品全てを収容するものであってもよい。
【００４７】
発光装置１は、１つの波長変換部材６中に含まれる蛍光体として、例えば青色の蛍光を放射する蛍光体、青緑色の蛍光を放射する蛍光体、緑色の蛍光を放射する蛍光体、からなる３種類の蛍光体を含む構成としてもよいし、これに限らず、１種類の蛍光体のみを備えるようにしてもよい。波長変換部材に配置する蛍光体の種類を組み合わせることにより、放射される光の色彩をコントロールすることができる。
【００４８】
本開示の実施形態に係る照明装置１０では、例えば内部に実装された発光素子３と、発光素子３を覆った波長変換部材６内に位置した第１蛍光体とを有している。また、可視光域の光を発光する。また、他の発光装置１あるいは、同じ発光装置１の波長変換部材６内に位置した第２蛍光体を有している。また、可視光域の光を発光する。
【００４９】
このとき、波長変換部材６中に分散される蛍光体は、例えば第１蛍光体であり、発光素子３に励起されて第１蛍光体にて放射されて、発光装置１から可視光が放射される。このとき、放射される光は可視光であればよく、複数の蛍光体を組み合わせて白色でもよいし、１種類のみ蛍光体を用いて、青色、緑色、赤色等であってもよい。また、同じ発光装置１でもよいし、異なる発光装置１でもよいが、波長変換部材６中に分散される蛍光体は、例えば第２蛍光体であり、発光素子３に励起されて第２蛍光体にて放射されて、発光装置１から可視光が放射される。このとき、放射される光は可視光であればよく、複数の蛍光体を組み合わせて白色でもよいし、１種類のみ蛍光体を用いて青色、緑色、赤色等であってもよい。また、複数の発光装置１は同じ色の光を放射してもよく、異なる色の光を放射してもよい。
【００５０】
また、照明装置１０は、波長変換部材６は、その内部に位置した第３蛍光体を有していてもよい。同じ発光装置１でもよいし、異なる発光装置１でもよいが、波長変換部材６中に分散される蛍光体は、例えば第３蛍光体であり、発光素子３に励起されて第３蛍光体にて放射されて、発光装置１から可視光が放射される。このとき、放射される光は可視光であればよく、複数の蛍光体を組み合わせて白色でもよいし、１種類のみ蛍光体を用いて青色、緑色、赤色等であってもよい。また、発光装置１は、可視光であれば、複数の発光装置１の他の物と同じ色の光を放射してもよく、異なる色の光を放射してもよい。
【００５１】
各蛍光体は、放つ色によって異なるが、例えば、青色を示す蛍光体は、ＢａＭｇＡｌ10Ｏ17：Ｅｕ、（Ｓｒ，Ｃａ，Ｂａ）10（ＰＯ4）6Ｃｌ2：Ｅｕ，（Ｓｒ，Ｂａ）10（ＰＯ4）6Ｃｌ2：Ｅｕであり、青緑色を示す蛍光体は、（Ｓｒ，Ｂａ，Ｃａ）5（ＰＯ4）3Ｃｌ：Ｅｕ，Ｓｒ4Ａｌ14Ｏ25：Ｅｕである。緑色を示す第３蛍光体１３は、ＳｒＳｉ2（Ｏ，Ｃｌ）2Ｎ2：Ｅｕ、（Ｓｒ，Ｂａ，Ｍｇ）2ＳｉＯ4：Ｅｕ2+、ＺｎＳ：Ｃｕ，Ａｌ、Ｚｎ2ＳｉＯ4：Ｍｎである。赤色を示す蛍光体としては、Ｙ2Ｏ2Ｓ：Ｅｕ、Ｙ2Ｏ3：Ｅｕ、ＳｒＣａＣｌＡｌＳｉＮ3：Ｅｕ2+、ＣａＡｌＳｉＮ3：Ｅｕ、ＣａＡｌＳｉ（ＯＮ）3：Ｅｕである。
【００５２】
なお、本実施形態において、制御部１５は、調光器１２が調光した発光装置１の光と連動して、調音器１４にスピーカー１３を調音させてもよい。
【００５３】
また、制御部１５は、外部、調光器１２及び発光装置１の少なくとも一方から第１光情報を受信するとともに、該第１光情報に基づき、調音器１４にスピーカー１３を調音させてもよい。
【００５４】
さらに、制御部１５は、第１光情報に基づき、スピーカー１３の音量及び音楽の種類の少なくとも１つの制御を指示する第１音制御情報を作成する。そして、該第１音制御情報に基づき、調音器１４にスピーカー１３を調音させてもよい。このとき、第１光情報としては、上述したように、点消灯状態、光の照度、色温度、及びスペクトル情報の少なくともいずれか１つを含んでもよい。
【００５５】
また、制御部１５は、調音器１４が調音したスピーカー１３の音と連動して、調光器１２に発光装置１を調光させてもよい。
【００５６】
さらに、制御部１５は、外部、調音器１４及びスピーカー１３の少なくとも一方から第１音情報を受信する。そして、該第１音情報に基づき、調光器１２に発光装置１を調光させてもよい。
【００５７】
また、制御部１５は、第１音情報に基づき、発光装置１の点消灯状態、光の照度、色温度、及びスペクトル情報の少なくとも１つの制御を指示する第１光制御情報を作成する。そして、該第１光制御情報に基づき、調光器１２に発光装置１を調光させてもよい。このとき、第１音情報は、音量及び音楽の種類の少なくとも１つを含んでもよい。
【００５８】
さらに、本開示の実施形態において、照明装置１０は、制御部１５、調光器１２、及び調音器１４を備えることで記載したが、必ずしもこの場合に限られない。例えば、照明装置１０は、制御部１５、調光器１２、及び調音機１４を一つの制御部として備えてもよい。また、制御部１０は、調光器１２及び調音機１４の機能の一部を備えてもよい。
【００５９】
＜照明システム＞
図１１は、本開示の実施形態に係る発明システムを示している。照明システムは、照明装置１０を複数備え、複数の照明装置１０のうち１つの照明装置（第１の照明装置１０１）は、他の照明装置（第２の照明装置１０２）から光情報および音情報の少なくとも一方を受信し、更に他の照明装置（第３の照明装置１０３）に光情報および音情報の少なくとも一方を送信することができる。つまり、上述したように、複数の照明装置１０の制御を行なう場合、各照明装置１０は、外部の照明装置１０あるいは外部の端末から調光状態の情報である光情報および調音状態である音情報を受信する第３受信部２３と、その照明装置１０自体の光情報および音情報を送信する第３送信部３３とをさらに備えていてもよい。たとえば、第１の照明装置１０１は、第１の照明装置１０１の発光装置１の光情報と第１の照明装置１０１のスピーカー１３の音情報との少なくとも一方を第２の照明装置１０２および／または第３の照明装置１０３に送信してもよい。同様に、第１の照明装置１０１は、第１の照明装置１０１の発光装置１の光情報と第１の照明装置１０１のスピーカー１３の音情報の少なくとも一方を他の照明装置から受信してもよい。このとき、発光装置１の光情報としては、発光装置１の光の色およびその強度等を示す情報であり、スピーカー１３の音情報としては、スピーカー１３から発せられる音楽、アナウンスの種類およびその大きさ等を示す情報であってもよい。なお、第２の照明装置１０２および第３の照明装置１０３においても同様である。これにより、照明装置１０が保有する光情報や音情報等を隣接する他の照明装置に送信することが可能となる。また逆に、隣接する他の照明装置から送信された光情報や音情報等を受信することが可能となる。これにより、ある空間に複数の照明装置１０が有る場合に、同じ色、同じ音楽になるように調整したり、異なる色で発光させて、全体としての色のバランスを調整したり、居る場所によって、音量、光量、音の種類、色を異ならせる等の調整を行なうことができる。この複数の照明装置１０の音情報及び光情報に基づく音と光の調整は、例えば、各照明装置の１０の制御部１５で行なうのがよい。
【００６０】
なお、複数の照明装置は、第１の照明装置と第２の照明装置とを有していてもよい。このとき、第１の照明装置は、第２の照明装置から、第２の照明装置の第４光情報及び第４音情報の少なくとも一方を受信する。第１の照明装置の制御部は、第２の照明装置の第４光情報及び第４音情報の少なくとも一方に基づいて、前記第１の照明装置の前記調光器と前記調音器との連動を制御してもよい。
【００６１】
複数の照明装置は、第３の照明装置を更に有していてもよい。このとき、第１の照明装置は、第３の照明装置に第２の照明装置の第４光情報および第４音情報の少なくとも一方を送信する。そして、第１の照明装置は、第３の照明装置に、第１の照明装置の調光器の調光状態および第１の照明装置の調音器の調音状態の少なくとも一方を送信してもよい。
【００６２】
なお、本開示において、光情報とは、光そのものを示す情報や調光情報を含むものであってもよい。例えば、光の点消灯状態、光の照度、色温度、及びスペクトル情報などである。また、調光情報とは、発光装置１を調整するための光に関する情報であって、発光装置１から放射されるべき光そのものを示す情報であっても、発光装置１が現状放射している光に対する変更指示情報であってもよい。例えば、光の点消灯状態、光の照度、色温度、及びスペクトル情報そのものや、光の照度や色温度の増加／減少を示す情報であってもよい。
【００６３】
さらに、本開示において、音情報とは、音そのものを示す情報や調音情報を含むものであってもよい。例えば、音量や音楽の種類を示す情報などである。また、調音情報とは、スピーカー１３を調整するための音に関する情報であって、スピーカー１３から発せられるべき音そのものを示す情報であっても、スピーカー１３が現状発している音に対する変更指示情報であってもよい。例えば、音量や音楽の種類そのものを示す情報や、音量の増加／減少を示す情報であってもよい。
【００６４】
なお、本開示は上述の実施形態の例に限定されるものではなく、数値などの種々の変形は可能である。本実施形態における特徴部の種々の組み合わせは上述の実施形態の例に限定されるものではない。
【符号の説明】
【００６５】
１  発光装置
２  基板
３  発光素子
４  枠体
５  封止部材
６  波長変換部材
１０  照明装置
１１  電源
１２  調光器
１３  スピーカー
１４  調音器
１５  制御部
２１  第１受信部
２２  第２受信部
２３  第３受信部
３１  第１送信部
３２  第２送信部
３３  第３送信部
１０１  第１の照明装置
１０２  第２の照明装置
１０３  第３の照明装置
【図１】
2020022492.tif 000003
【図２】
2020022492.tif 000004
【図３】
2020022492.tif 000005
【図４】
2020022492.tif 000006
【図５】
2020022492.tif 000007
【図６】
2020022492.tif 000008
【図７】
2020022492.tif 000009
【図８】
2020022492.tif 000010
【図９】
2020022492.tif 000011
【図１０】
2020022492.tif 000012
【図１１】
2020022492.tif 000013
【国際調査報告】
2020022492.tif 000014
2020022492.tif 000015
2020022492.tif 000016
2020022492.tif 000017